(57)【特許請求の範囲】
【請求項１】
複数の負荷群に電力を供給する電源を商用電源および蓄電池の間で切り替える電源切替器、および、前記電源切替器と前記複数の負荷群それぞれとの間の電力供給路に設けられる複数の開閉器を制御する制御部と、
前記複数の開閉器それぞれをオン制御する優先順位を記憶するメモリと、
前記制御部は、
前記電源切替器が前記商用電源と接続しているときに前記商用電源の電力消費を抑制する節電時間帯になった場合、前記複数の開閉器それぞれのオフ制御を行い、
前記電源切替器に前記電源を前記商用電源から前記蓄電池に切替えさせ、前記優先順位に従って前記複数の開閉器それぞれのオン制御を行う、
電力分配制御装置。
【請求項２】
前記複数の負荷群は、冷蔵庫および炊飯器の少なくとも１方を含む負荷である第２の負荷群と、前記第２の負荷群とは異なる種類の負荷である第１の負荷群とを含み、
前記メモリには前記第２の負荷群よりも前記第１の負荷群の順位が高くなるように前記優先順位が設定される、
請求項１に記載の電力分配制御装置。
【請求項３】
前記制御部は、
前記第１の負荷群に接続された第１の開閉器をオフ制御してから第１の所定時間が経過した後、前記第１の開閉器のオン制御を行い、
前記第２の負荷群に接続された第２の開閉器をオフ制御してから、前記第１の所定時間よりも長い第２の所定時間が経過した後、前記第２の開閉器のオン制御を行う、
請求項２に記載の電力分配制御装置。
【請求項４】
前記第１の所定時間は、１分未満であり、前記第２の所定時間は、１分以上である、
請求項３に記載の電力分配制御装置。
【請求項５】
前記商用電源には、さらに、当該商用電源からの電力供給のみを受ける第３の負荷群が接続されており、
前記制御部は、通信ネットワークを介して前記第３の負荷群の動作を制御し、
前記節電時間帯になると、前記第３の負荷群に前記商用電源の消費電力を抑制させるための制御信号を送信する、
請求項１−４のいずれか１項に記載の電力分配制御装置。
【請求項６】
前記第３の負荷群は、空気調和装置を含み、
前記節電時間帯になると、前記空気調和装置の電源をオン状態からオフ状態に切り替えるための制御信号、又は、温度設定を切り替えるための制御信号を前記空気調和装置に送信する、
請求項５に記載の電力分配制御装置。
【請求項７】
さらに、複数の負荷群を備える需要家に対する節電要求を示す節電要求信号を受信する通信部を備え、
前記制御部は、前記通信部が当該節電要求信号を受信することにより前記節電時間帯を特定する、
請求項１−６のいずれか１項に記載の電力分配制御装置。
【請求項８】
前記複数の負荷群それぞれに蓄電池が接続されている場合、
前記制御部は、各蓄電池の放電可能時間が前記節電時間帯の時間よりも短い場合は、各蓄電池の放電終了時刻が前記節電時間帯の終了時刻を超えない範囲で、各蓄電池の放電開始時刻に遅延時間を設ける、
請求項１−７のいずれか１項に記載の電力分配制御装置。
【請求項９】
前記制御部は、各蓄電池それぞれに異なる前記遅延時間を設定する、
請求項８に記載の電力分配制御装置。
【請求項１０】
前記複数の開閉器それぞれが前記電源切替器として構成され、
前記複数の開閉器のそれぞれは、
負荷と蓄電池および商用電源との間の接続を切り替え可能であり、
前記制御部は、前記開閉器に前記電源として前記蓄電池を接続させることで前記オン制御を行い、前記開閉器に前記蓄電池および前記商用電源のいずれにも接続させないことで前記オフ制御を行う、
請求項１−９のいずれか１項に記載の電力分配制御装置。
【請求項１１】
蓄電池と、請求項１−１０のいずれか１項に記載の電力分配制御装置を備える蓄電システム。
【請求項１２】
複数の負荷に電力を供給する電源を商用電源および蓄電池の間で切り替える電源切替器、および、前記電源切替器と複数の負荷群それぞれとの間の電力供給路に設けられる複数の開閉器を制御する電力分配制御方法であって、
前記電源切替器が前記商用電源と接続しているときに前記商用電源の電力供給が逼迫する節電時間帯になった場合、前記複数の開閉器それぞれのオフ制御を行い、
前記電源切替器に前記電源を前記商用電源から前記蓄電池に切替えさせ、
前記開閉器それぞれをオン制御する優先順位を記憶するメモリを用いて、当該メモリに記憶されている前記優先順位に従って前記複数の開閉器それぞれのオン制御を行う、
電力分配制御方法。
【発明の詳細な説明】
【技術分野】
【０００１】
本開示は、電力分配制御装置及び電力分配制御方法に関する。
【背景技術】
【０００２】
電化製品等の負荷に電力を投入すると、負荷は定常状態に達するまで一時的に突入電流と呼ばれる大電流が流れる。複数の負荷に一斉にこの突入電流が流れると、配電線において急激な電圧降下が起こり、負荷が電圧不足に陥る。【０００３】
このような問題に対処するため、従来技術として、複数の装置（負荷）にランダムに電力を投入し、突入電流の値を測定し、測定値が一定の値を超えた場合には、電力の投入を行う装置を変更する技術がある（例えば、特許文献１）。
【先行技術文献】
【特許文献】
【０００４】
【特許文献１】特開平１０−０３１５３６号公報
【発明の概要】
【０００５】
ところで、近年、マンションや工場などに蓄電池システムを設けて、商用電源の電力不足時や停電時にバックアップ電源として用いることがあり、上述した突入電流による電圧降下を抑制し安定的に動作する技術が求められる。
【０００６】
本開示の一態様は、蓄電池システムから負荷群への電力供給開始時に、安定的に電力供給を行う電力分配制御装置を提供する。
【０００７】
本開示の一態様に係る電力分配制御装置は、複数の負荷群に電力を供給する電源を商用電源および蓄電池の間で切り替える電源切替器、および、前記電源切替器と前記複数の負荷群それぞれとの間の電力供給路に設けられる複数の開閉器を制御する制御部と前記複数の開閉器それぞれをオン制御する優先順位を記憶するメモリと、前記制御部は、前記電源切替器が前記商用電源と接続しているときに前記商用電源の電力消費を抑制する節電時間帯になった場合、前記複数の開閉器それぞれのオフ制御を行い、前記電源切替器に前記電源を前記商用電源から前記蓄電池に切替えさせ、前記優先順位に従って前記複数の開閉器それぞれのオン制御を行う。
【０００８】
なお、これらの包括的または具体的な側面は、システム、方法、および、コンピュータプログラムで実現されてもよく、システム、装置、方法、およびコンピュータプログラムの任意な組み合わせで実現されてもよい。
【０００９】
本開示の一態様に係る電力分配制御装置によれば、蓄電池システムから負荷群への電力供給開始時に、安定的に電力供給を行うことが可能となる。
【図面の簡単な説明】
【００１０】
【図１】図１は、実施の形態１に係る電力分配制御システム１を説明する図である。
【図２】図２は、実施の形態１に係るオン制御順位記憶部５１に記憶されている情報の一例である。
【図３】図３は、実施の形態１に係る制御部５２の動作を示すフローチャートである。
【図４】図４は、実施の形態２に係る電力分配制御システム１Ａを説明する図である。
【図５】図５は、実施の形態２に係るオン制御順位記憶部５１Ａに記憶されている情報の一例である。
【図６】図６は、実施の形態２に係るメータ情報記憶部８２に記憶されている情報の一例である。
【図７】図７は、実施の形態２に係る開閉器４０の設置例である。
【図８】図８は、実施の形態３に係る電力分配制御システム１Ｂを説明する図である。
【図９】図９は、（ａ）、（ｂ）実施の形態３に係る開閉器４０の設置例である。
【図１０】図１０は、実施の形態４に係る電力分配制御システム１Ｃを説明する図である。
【図１１】図１１は、実施の形態４に係る制御部１５２の動作を示すフローチャートである。
【図１２】図１２は、（ａ）実施の形態５に係る電力分配制御システム１Ｄを説明する図、（ｂ）実施の形態５に係る開閉器５００を説明する図である。
【図１３】図１３は、（ａ）〜（ｃ）実施の形態５に係る開閉器５００の動作を説明する図である。
【図１４】図１４は、（ａ）、（ｂ）実施の形態５に係る開閉器５００の動作を説明する図、（ｃ）実施の形態５に係る開閉器５００の構成を説明する図である。
【図１５】図１５は、実施の形態６に係る電力分配制御システム１Ｅを説明する図である。
【図１６】図１６は、（ａ）特定負荷群と一般負荷群の具体例、（ｂ）実施の形態６に係る電力分配制御システム１Ｅにおいて、開閉器夫々のオン制御順位を定める規則の一例である。
【図１７】図１７は、実施の形態７に係る電力分配制御システム１Ｆを説明する図である。
【図１８】図１８は、（ａ）実施の形態７に係る節電方法の一例、（ｂ）実施の形態７に係る制御ルール記憶部７１０に記憶されている情報の一例である。
【図１９】図１９は、実施の形態７に係る逼迫検出器８００を説明する図である。
【図２０】図２０は、変形例（１）に係る電力分配制御に関する情報の提供例である。
【図２１】図２１は、変形例（２）に係るオン制御時間記憶部に記憶されている情報の一例である。
【図２２】図２２は、変形例（４）に係る電力分配制御システムにおいて、一の需要家が蓄電池システムを占有する一例である。
【図２３】図２３は、変形例（５）に係る戸別電源切替ユニット９００の構成を説明する図である。
【図２４】図２４は、変形例（７）に係るオン制御順位記憶部５１Ａに記憶されている情報の一例である。
【図２５】図２５は、変形例（８）を説明する図である。
【図２６】図２６は、実施の形態８に係る電力分配制御システム１Ｇを説明する図である。
【発明を実施するための形態】
【００１１】
（本開示の基礎となった知見）
近年、マンションや工場などに蓄電池システムを設けて、商用電源の電力不足時や停電時にバックアップ電源として用いることがある。但し、蓄電池システムに備えられるパワーコンディショナーの変換容量には限りがあるため、蓄電池システムから供給可能な単位時間当たりの電力量は、商用電源のそれと比較すると低い。そのため、蓄電池システムがバックアップ電源として用いられる場合に突入電流による配電線の電圧降下が生じると、電力量の低い蓄電池システムでは電力不足分を補うことができず深刻な事態を招く恐れがある。
【００１２】
例えば、特許文献１の技術は、蓄電池システムがバックアップ電源として設けられる配電システムを想定していないため、蓄電池システムがバックアップ電源として設けられる配電システムにおいて、突入電流による電圧降下を抑制し安定的に動作する技術が求められる。
【００１３】
これに対して本開示の発明者らは、電源復旧時に、電源復旧の優先順位をつけることで、突入電流による電圧降下を抑制し、安定的に動作できるということ知見を得た。例えば、開閉器毎に、導通する優先順位をつけて制御することにより突入電流を抑制できるという知見を得た。
【００１４】
より具体的には、本開示の一態様に係る電力分配制御装置は、商用電源が停電したことを検知する停電検知部と、複数の負荷群に電力を供給する電源を商用電源および蓄電池の間で切り替える電源切替器、および、前記電源切替器と前記複数の負荷群それぞれとの間の電力供給路に設けられる複数の開閉器と通信ネットワークを介して接続する通信部と、前記通信ネットワークを介して、前記電源切替器の切替制御および前記複数の開閉器のオン制御およびオフ制御を行う制御部と、を備え、前記制御部は、前記電源切替器が前記商用電源と接続しているときに前記停電検知部が前記商用電源の停電を検知した場合、前記複数の開閉器それぞれのオフ制御を行い、前記電源切替器に前記電源を前記商用電源から前記蓄電池に切替えさせ、前記開閉部それぞれをオン制御する優先順位を記憶するメモリを用いて、当該メモリに記憶されている前記優先順位に従って前記複数の開閉器それぞれのオン制御を行う。
【００１５】
この構成により、蓄電池システムから負荷群への電力供給開始時に、安定的に電力供給を行うことができる。
【００１６】
以下、実施の形態について、図面を参照しながら具体的に説明する。
【００１７】
なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１８】
＜１．実施の形態１＞
本実施の形態１に係る電力分配制御システムは、商用電源の停電時に、蓄電池システムから負荷群へ電力供給を行う。そして、電力分配制御システムは、需要家毎に分岐した電力供給路夫々に設けられた開閉器を制御し、蓄電池システムから負荷群へ供給される電力を需要家毎に順に配電する。
【００１９】
図１を用いて、本実施の形態１に係る電力分配制御システム１について説明する。
【００２０】
電力分配制御システム１は、商用電源の停電時以外は、配電網２を介して、商用電源から供給される電力を負荷群１００−１，…，１００−Ｎ夫々に分配し、商用電源の停電時は、蓄電池システム１０から供給される電力を負荷群１００−１，…，１００−Ｎ夫々に分配する。
【００２１】
負荷群１００−１，…，１００−Ｎ夫々は、需要家１，…，Ｎの夫々によって使用される負荷の集合である。なお、Ｎは任意の数とする。
【００２２】
蓄電池システム１０は、商用電源から電力の供給を受けて充電され、停電時に負荷群へ電力を供給する。
【００２３】
本発明で、対象とする蓄電池は、発電機能を含んだ燃料電池、太陽電池、ガスの発電機やディーゼル、ガソリンの発電機を含んだ、複数の発電機を含む蓄電池から構成される蓄電システムであってもよい。また、蓄電システムの電力供給能力としては各発電機や、各蓄電池の電力供給能力の合計で表現してもよい。
【００２４】
停電検出器２０は、商用電源の停電及び復電を検出する。
【００２５】
更に、停電検出器２０は、商用電源の停電検出後、商用電源の停電を後述する電力分配制御装置５０に通知し、復電検出後、商用電源の復電を電力分配制御装置５０に通知する。
【００２６】
なお、停電検出器２０は、従来から知られた停電検出方法及び復電検出方法を実行する装置である。従来から知られた停電検出方法として、例えば、電力供給路の電圧が予め定められている閾値以下である場合に、停電であると判定する方法がある。また、従来から知られた復電検出方法として、例えば、停電検出後において、電力供給路の電圧が予め定められている電圧の範囲内である状態が一定時間以上続いた場合に、復電であると判定する方法がある。
【００２７】
電源切替ユニット３０は、後述する電力分配制御装置５０の制御に基づいて、負荷群１００−１，…，１００−Ｎの電源である商用電源と蓄電池システム１０との切り替えを行う。
【００２８】
開閉器４０−１，…，４０−Ｎ夫々は、負荷群１００−１，…，１００−Ｎ夫々の電力供給路に設けられている。そして、開閉器４０−１，…，４０−Ｎ夫々は、後述する電力分配制御装置５０の制御に基づいて、電力供給路の開閉を行う。なお、開閉器４０は、リレー、スイッチ、或いは、切り替え器と表記することもできる。なお、開閉器を制御するために、開閉器を制御するコントローラ（制御部）や、開閉器自身に対して、蓄電池や系統などから常に電力が供給されている前提を行う。
【００２９】
電力分配制御装置５０は、オン制御順位記憶部５１及び制御部５２を備える。
【００３０】
オン制御順位記憶部５１は、制御部５２が開閉器４０−１，…，４０−Ｎ夫々に対してオン制御を行う順位を記憶している。
【００３１】
図２に、オン制御順位記憶部５１に記憶されている情報の一例を示す。
【００３２】
図２において、オン制御順位記憶部５１は、「開閉器ＩＤ」及び「オン制御順位」の項目を含んでいる。
【００３３】
制御部５２は、電源切替ユニット３０に対する電源切替制御、並びに開閉器４０−１，…，４０−Ｎ夫々に対するオン制御及びオフ制御を行う。ここで、オン制御は、開閉器４０を閉じることで負荷群と電源とを導通させる制御である。一方、オフ制御は、開閉器４０を開くことで負荷群と電源とを導通とする制御である。なお、電源切替ユニットを制御するために、電源切替ユニットを制御するコントローラ（制御部）や、電源切替ユニット自身に対して、蓄電池や系統などから常に電力が供給されている前提を行う。
【００３４】
図３のフローチャートを用いて、制御部５２の具体的な動作を説明する。
【００３５】
制御部５２は、停電検出器２０から商用電源の停電が通知されると（Ｓ１０１：ＹＥＳ）、開閉器４０−１，…，４０−Ｎの全てに対してオフ制御を行う（Ｓ１０２）。
【００３６】
開閉器４０−１，…，４０−Ｎの全てに対するオフ制御（Ｓ１０２）後、制御部５２は、電源切替ユニット３０に対して、負荷群１００−１，…，１００−Ｎの電源を商用電源から蓄電池システム１０に切り替えさせる電源切替制御を行う（Ｓ１０３）。
【００３７】
ステップＳ１０３により、電源切替ユニット３０は、負荷群１００−１，…，１００−Ｎの電源を商用電源から蓄電池システム１０に切り替え、蓄電池システムから供給される電力を負荷群１００−１，…，１００−Ｎ夫々へ配電する。
【００３８】
電源切替ユニット３０に対する電源切替制御（Ｓ１０３）後、制御部５２は、オン制御順位記憶部５１に記憶されている開閉器４０−１，…，４０−Ｎ夫々のオン制御順位に基づいて、開閉器４０−１，…，４０−Ｎ夫々に対してオン制御を順に行う（Ｓ１０４）。
【００３９】
例えば、オン制御順位記憶部５１に、図２に示すオン制御順位が記憶されているとする。このとき制御部５２は、開閉器４０−１，…，４０−Ｎの内、先ずオン制御順位が「１」と定められている開閉器ＩＤ１の開閉器に対してオン制御を行う。
【００４０】
続いて、制御部５２は、開閉器ＩＤ１の開閉器のオン制御後、予め定められている時間間隔を空けて、オン制御順位「２」と定められている開閉器ＩＤ２の開閉器に対してオン制御を行う。
【００４１】
続いて、制御部５２は、その他の開閉器に対しても同様に、オン制御順位記憶部の順位に従ってオン制御を行う。
【００４２】
なお、開閉器４０−１，…，４０−Ｎのオン制御が行われる時間間隔は、開閉器４０−１，…，４０−Ｎ夫々のオン制御による、突入電流の発生が続く時間を加味して定められることが望ましい。
【００４３】
図３に戻って説明を続ける。
【００４４】
ステップＳ１０４の後、制御部５２は、停電検出器２０から商用電源の復電が通知されると（Ｓ１０５：ＹＥＳ）、電源切替ユニット３０に対して、負荷群１００−１，…，１００−Ｎの電源を蓄電池システム１０から商用電源に切り替えさせる電源切替制御を行う（Ｓ１０６）。
【００４５】
ステップＳ１０６により、電源切替ユニット３０は、負荷群１００−１，…，１００−Ｎの電源を蓄電池システム１０から商用電源に切り替え、商用電源から供給される電力を負荷群１００−１，…，１００−Ｎ夫々へ配電する。
【００４６】
また、制御部５２は、ステップＳ１０１の処理の後からステップＳ１０４の処理が完了するまでの間において、停電検出器２０から商用電源の復電が通知されたとする。このとき、制御部５２は（i）開閉器４０−１，…，４０−Ｎ夫々の内一つでもオフ状態であれば、オフ状態の開閉器全てに対してオン制御を行い、（ii）負荷群１００−１，…，１００−Ｎの電源が商用電源から蓄電池システム１０に切り替えられた後であれば、電源切替ユニット３０に対して、負荷群１００−１，…，１００−Ｎの電源を蓄電池システム１０から商用電源に切り替えさせる電源切替制御を行う。
【００４７】
なお、蓄電池システム１０、停電検出器２０、電源切替ユニット３０、開閉器４０−１，…，４０−Ｎ、及び電力分配制御装置５０夫々は、停電状態であっても電力が供給されるように、商用電源から独立した電池等の電源から電力供給を受けるとしてもよい。また、商用電源の停電時以外は商用電源から電力供給を受け、商用電源の停電時には、電力分配制御システム１に更に備えられたＵＰＳ（Ｕｎｉｎｔｅｒｒｕｐｔｉｂｌｅ  Ｐｏｗｅｒ  Ｓｕｐｐｌｙ）等の予備電源から電力供給を受けるとしてもよい。ＵＰＳは、電池や発電機を備え、停電状態時に電力を必要とするハードウェアに電力を供給する機能を有する装置である。
【００４８】
本実施の形態１に係る電力分配制御システムによれば、蓄電池システムから負荷群への電力供給開始時に、開閉器４０−１，…，４０−Ｎ夫々がオン制御されるタイミングが競合しないため、突入電流による電力供給路の電圧降下を抑制し安定的に電力供給を行うことができる。
【００４９】
＜２．実施の形態２＞
上記実施の形態１に係る電力分配制御システム１では、需要家毎に分岐した電力供給路夫々に設けた開閉器夫々に対して順にオン制御を行うこととしていたが、本実施の形態２に係る電力分配制御システムでは、その開閉器夫々を蓄電池システムの電力供給能力に基づいてグループ分けし、グループ毎にその開閉器夫々に対して順にオン制御を行う。
【００５０】
図４を用いて、本実施の形態２に係る電力分配制御システム１Ａについて説明する。なお、本実施の形態２において、上記実施の形態１と同様の構成及び動作については、同じ符号を付しその説明を省略する。
【００５１】
電力分配制御装置５０Ａは、オン制御順位記憶部５１Ａ及び制御部５２Ａを備える。
【００５２】
オン制御順位記憶部５１Ａは、制御部５２Ａが開閉器４０−１，…，４０−Ｎ夫々のオン制御を行う順位をグループ単位で記憶している。また、オン制御順位記憶部５１Ａに記憶されている、開閉器４０−１，…，４０−Ｎ夫々のグループ、及びグループ毎の開閉器４０−１，…，４０−Ｎ夫々のオン制御順位は、後述する設定装置８０によって設定される。
【００５３】
図５に、オン制御順位記憶部５１Ａに記憶されている情報の一例を示す。
【００５４】
図５において、オン制御順位記憶部５１Ａは、「グループＩＤ」、「オン制御順位」及び「開閉器ＩＤ」の項目を含んでいる。
【００５５】
制御部５２Ａは、電源切替ユニット３０の電源切替制御、及び開閉器４０−１，…，４０−Ｎ夫々のオン制御並びにオフ制御を行う。
【００５６】
制御部５２Ａは、オン制御順位記憶部５１Ａに記憶されている開閉器４０−１，…，４０−Ｎ夫々のオン制御順位に基づいて、開閉器４０−１，…，４０−Ｎ夫々に対してグループ単位で順にオン制御を行う。
【００５７】
例えば、オン制御順位記憶部５１Ａに、図５に示すオン制御順位が記憶されているとする。このとき制御部５２Ａは、開閉器４０−１，…，４０−Ｎの内、先ずオン制御順位が「１」と定められているグループＩＤ１のグループに属している、開閉器ＩＤ１、３、６，…の開閉器夫々に対してオン制御を行う。続いて、制御部５２Ａは、グループＩＤ１のグループに属している開閉器夫々のオン制御後、予め定められている時間間隔を空けて、オン制御順位「２」と定められているグループＩＤ１のグループに属している、開閉器ＩＤ４、５、１０，…夫々に対してオン制御を行う。続いて、制御部５２Ａは、その他のグループに属している開閉器夫々に対しても同様に、オン制御順位記憶部に記憶されているグループ毎のオン制御順位に従ってオン制御を行う。
【００５８】
制御部５２Ａは、上述した点以外は上記実施の形態１に係る電力分配制御装置５０の制御部５２と同様である。
【００５９】
スマートメータ６０−１，…，６０−Ｎは、負荷群１００−１，…，１００−Ｎ夫々の電力供給路に対して様々な計測を行い、計測結果を後述する設定装置８０に記憶させる。電力供給路に対する様々な計測として、スマートメータ６０−１，…，６０−Ｎは、例えば、商用電源の停電時において開閉器４０−１，…，４０−Ｎ夫々がオン制御された際の瞬時最大電流値（突入電流値）を計測する。
【００６０】
なお、消費電力、電流値、電圧値などを計測する電力計測手段としては、スマートメータだけでなく、電力メータやＣＴ、電力のパルスカウンターのような手段であってもよい。消費電力、電流値などの値に基づいて、グループ毎の負荷の構成を検討、調整を行う。
【００６１】
設定装置８０は、取得部８１、メータ情報記憶部８２、及び、設定部８３を備える。なお、本実施の形態では、設定装置８０と電力分配制御装置５０Ａとが別々の装置として構成されている場合を例に説明するが、設定装置８０と電力分配制御装置５０とが１つの装置として構成されてもよい。
【００６２】
取得部８１は、スマートメータ６０−１，…，６０−Ｎ夫々から計測結果を取得する。そして、取得部８１は、取得したスマートメータ６０−１，…，６０−Ｎ夫々の計測結果をメータ情報記憶部８２に記憶させる。
【００６３】
図６に、メータ情報記憶部８２に記憶されている情報の一例を示す。
【００６４】
図６において、メータ情報記憶部８２は、「スマートメータＩＤ」、「需要家ＩＤ」及び「開閉器ＩＤ」を含み、スマートメータ、需要家、及び開閉器の対応関係を記憶している。また、メータ情報記憶部８２は、「前回開閉器操作時の瞬時最大電流値（Ａ）」の項目を含み、直近の商用電源の停電時において開閉器４０−１，…，４０−Ｎ夫々がオン制御された際に、スマートメータ６０−１，…，６０−Ｎ夫々で計測された瞬時最大電流値を記憶している。
【００６５】
設定部８３は、蓄電池システム１０の電力供給能力と、メータ情報記憶部８２に記憶されている情報とに基づいて、開閉器４０−１，…，４０−Ｎ夫々のグループ分けを行う。
【００６６】
具体的には、設定部８３は、メータ情報記憶部８２を参照し、一のグループに属する開閉器夫々がオン制御された際に発生する突入電流により、電力供給路の電圧降下が起こらないように、蓄電池システム１０の電力供給能力に基づいて、開閉器４０−１，…，４０−Ｎ夫々のグループ分けを行う。
【００６７】
例えば、メータ情報記憶部８２に、図６に示すスマートメータ６０−１，…，６０−Ｎ夫々の計測結果が記憶されているとする。このとき設定部８３は、例えば、一のグループに属する開閉器夫々における直近の商用電源の停電時に計測された開閉器夫々の瞬時最大電流値の合計値が、蓄電池システム１０の電力供給能力に基づく閾値に収まるように、開閉器４０−１，…，４０−Ｎ夫々のグループのグループ分けを行う。
【００６８】
なお、電力供給路の電圧降下が起こらないと判断するための、蓄電池システム１０の電力供給能力に基づく閾値は、蓄電池システムの電力供給能力毎に予め実験を行うことで定めておけばよい。
【００６９】
更に、設定部８３は、設定したグループ毎に開閉器４０−１，…，４０−Ｎ夫々のオン制御順位を任意に設定する。
【００７０】
このように、本実施の形態２の電力分配制御システム１Ａでは、開閉器４０−１，…，４０−Ｎ夫々のグループ分けが行われ、蓄電池システム１０から負荷群へ電力供給を開始する時に、グループ毎に開閉器４０−１，…，４０−Ｎ夫々のオン制御が行われる。そのため、本実施の形態２の電力分配制御システム１Ａによれば、効率的に突入電流による電力供給路の電圧降下を抑制できる。
【００７１】
なお、図４において、開閉器４０−１，…，４０−Ｎ夫々は、需要家毎に分岐した電力供給路夫々において、スマートメータ６０−１，…，６０−Ｎの上流の電力供給路に設けられているが、開閉器４０−１，…，４０−Ｎ夫々の設置場所はこれに限定されない。
【００７２】
図７を用いて、開閉器４０−１，…，４０−Ｎ夫々の設置例を挙げる。
【００７３】
図７に示すように、開閉器４０は分電盤７０に内蔵されてもよい。
【００７４】
分電盤７０は、ブレーカー７１、７２及び７３を備える。なお、分電盤７０に備えられるブレーカーの数はこれに限定されない。
【００７５】
ブレーカー７１、７２及び７３夫々の下流には、室内灯等の照明器具や、家電製品等の負荷１０１、１０２、１０３及び１０４が設けられている。なお、図４の負荷群１００は、これらの負荷の集合を意味している。
【００７６】
ブレーカー７１、７２及び７３は夫々、異常な電流が下流に流れた場合に、電力供給路を遮断する。
【００７７】
なお、開閉器４０はこの他にも、需要家毎に分岐した電力供給路夫々の様々な位置に設置されてもよい。例えば、開閉器４０は、スマートメータ６０に内蔵されてもよい。
【００７８】
＜３．実施の形態３＞
本実施の形態３では、停電検出後、早い電力復旧が望ましい負荷（以下、「特定負荷」と言う。）と、そうでない負荷（以下、「一般負荷」と言う。）とを区別して、蓄電システムから負荷群へ電力投入を行う電力分配制御システムについて説明する。なお、本実施の形態３において、上記各実施の形態と同様の構成及び動作については、同じ符号を付し、その説明を省略する。
【００７９】
図８に示すように、本実施の形態３に係る電力分配制御システム１Ｂでは、需要家夫々の使用する負荷群を、特定負荷群２００−１，…，２００−Ｎと、一般負荷群３００−１，…，３００−Ｎとに区別している。そして、特定負荷群２００−１，…，２００−Ｎ夫々は、開閉器４０−１，…，４０−Ｎ夫々を介さずに電源切替ユニット３０に直接つながれており、一般負荷群３００−１，…，３００−Ｎ夫々は、開閉器４０−１，…，４０−Ｎ夫々を介して電源切替ユニット３０につながれている。本実施の形態３に係る電力分配制御システム１Ｂは、これ以外は上記実施の形態１に係る電力分配制御システム１と同様である。
【００８０】
このように、本実施の形態３の電力分配制御システム１Ｂでは、特定負荷群２００−１，…，２００−Ｎの夫々は、開閉器４０−１，…，４０−Ｎを介さずに電源切替ユニット３０に直接つながれているため、負荷群の電源が商用電源から蓄電池システム１０に切り替えられると直ぐに特定負荷群２００−１，…，２００−Ｎの夫々へ蓄電池システムからの電力が配電される。
【００８１】
但し、電源が商用電源から蓄電池システム１０に切り替えられた直後に、特定負荷群２００−１，…，２００−Ｎで発生した突入電流により、電圧降下が起こらないように、蓄電池システムの電力供給能力に基づいて特定負荷は定められることが望ましい。
【００８２】
本実施の形態３の電力分配制御システム１Ｂによれば、突入電流による電力供給路の電圧降下を抑制し安定的に電力供給を行いつつ、需要家の利便性を図ることができる。
【００８３】
ここで、図９（ａ）及び（ｂ）に、電力分配制御システム１Ｂにおける開閉器４０−１，…，４０−Ｎ夫々の設置例を示す。
【００８４】
図９（ａ）に示すように、特定負荷群２００用の特定負荷分電盤９１と、一般負荷群用の一般負荷分電盤９２を設け、一般負荷分電盤９２に開閉器４０を内蔵してもよい。
【００８５】
また、図９（ｂ）に示すように、特定負荷群用と一般負荷群用とに分けずに分電盤９３を設け、分電盤に開閉器４０を内蔵してもよい。
【００８６】
＜４．実施の形態４＞
本実施の形態４では、需要家夫々について、分電盤の下流の電力供給路夫々に設けた開閉器に対して、需要家毎に戸別で開閉制御を行う電力分配制御システムについて説明する。なお、本実施の形態３において、上記各実施の形態と同様の構成及び動作については、同じ符号を付し、その説明を省略する。
【００８７】
図１０に示すように、本実施の形態４に係る電力分配制御システム１Ｃにおいて、需要家１の分電盤７０−１の下流の電力供給路夫々には、開閉器１４０−１，…，１４０−Ｍ夫々が設けられている。そして、開閉器１４０−１，…，１４０−Ｍ夫々の下流の電力供給路には、需要家１の使用する負荷群４００−１，…，４００−Ｍ夫々つながれている。なお、Ｍは２以上の任意の数とする。
【００８８】
開閉器１４０−１，…，１４０−Ｍ夫々は、後述する戸別電力分配制御装置１５０の制御に基づいて電力供給路の開閉を行う。
【００８９】
停電検出器１２０は、上記実施の形態１で説明した停電検出器２０と同様に、商用電源の停電及び復電を検出する。
【００９０】
更に、停電検出器１２０は、商用電源の停電検出後、商用電源の停電を後述する電源切替ユニット１３０及び戸別電力分配制御装置１５０に通知し、復電検出後、商用電源の復電を電源切替ユニット１３０及び戸別電力分配制御装置１５０に通知する。
【００９１】
電源切替ユニット１３０は、需要家夫々の負荷群の電源である商用電源と蓄電池システム１０の切り替えを行う。
【００９２】
具体的には、電源切替ユニット１３０は、停電検出器１２０から停電の通知を受けると、需要家夫々の負荷群の電源を商用電源から蓄電池システム１０に切り替え、蓄電池システム１０から供給される電力を需要家夫々の負荷群へ配電する。そして、電源切替ユニット３０は、停電検出器１２０から復電の通知を受けると、需要家夫々の負荷群の電源を蓄電池システム１０から商用電源に切り替え、商用電源から供給される電力を需要家夫々の負荷群へ配電する。
【００９３】
戸別電力分配制御装置１５０は、オン制御順位記憶部１５１及び制御部１５２を備え、負荷群４００−１，…，４００−Ｍ夫々に設けられた開閉器１４０−１，…，１４０−Ｍ夫々に対するオン制御及びオフ制御を行う。
【００９４】
オン制御順位記憶部１５１は、上記実施の形態１に係る電力分配制御装置５０のオン制御順位記憶部５１と同様に、制御部１５２が開閉器１４０−１，…，１４０−Ｍ夫々のオン制御を行う順位を記憶している。
【００９５】
制御部１５２は、開閉器１４０−１，…，１４０−Ｍ夫々に対してオン制御及びオフ制御を行う。
【００９６】
図１１のフローチャートを用いて、制御部１５２の具体的な動作を説明する。
【００９７】
制御部１５２は、停電検出器１２０から商用電源の停電が通知されると（Ｓ２０１：ＹＥＳ）、開閉器１４０−１，…，１４０−Ｍ全てに対してオフ制御を行う（Ｓ２０２）。
【００９８】
開閉器１４０−１，…，１４０−Ｍ全てをオフ制御（Ｓ２０２）後、制御部１５２は、オン制御順位記憶部１５１に記憶されている開閉器１４０−１，…，１４０−Ｍ夫々のオン制御順位に基づいて、開閉器１４０−１，…，１４０−Ｍ夫々に対して、順にオン制御を行う（Ｓ２０３）。
【００９９】
このステップＳ２０３の処理は、上記実施の形態１に係る電力分配制御装置５０の制御部５２におけるステップＳ１０４（図３）の処理と同様であるため、詳細な説明は省略する。
【０１００】
また、制御部１５２は、ステップＳ２０１の処理の後からステップＳ２０３の処理が完了するまでの間において、停電検出器１２０から復電状態であることの通知を受けた場合、開閉器１４０−１，…，１４０−Ｍ夫々の内一つでもオフ状態であれば、オフ状態の開閉器全てに対してオン制御を行う。
【０１０１】
このように、本実施の形態４の電力分配制御システム１Ｃでは、需要家夫々について、分電盤の下流の電力供給路夫々に設けられた開閉器夫々が、戸別電力分配制御装置によって戸別に開閉制御が行われる。そのため、本実施の形態４に係る電力分配制御システム１Ｃによれば、需要家毎に柔軟に負荷群への電力投入を行い、突入電流による電力供給路の電圧降下を抑制し安定的に電力供給を行うことができる。
【０１０２】
＜５．実施の形態５＞
本実施の形態５では、停電検出後、特定負荷と一般負荷とを区別し、ユーザ操作を受け付けて、蓄電システムから一般負荷群へ電力投入を行う電力分配制御システムについて説明する。なお、本実施の形態５において、上記各実施の形態と同様の構成及び動作については、同じ符号を付し、その説明を省略する。
【０１０３】
図１２（ａ）に示すように、本実施の形態５に係る電力分配制御システム１Ｄは、上記実施の形態３に係る電力分配制御システム１Ｂから、電力分配制御装置５０を除き、停電検出器２０の代わりに停電検出器１２０を備え、電源切替ユニット３０の代わりに電源切替ユニット１３０を備え、開閉器４０−１，…，４０−Ｎ夫々の代わりにユーザ操作を受け付ける開閉器５００−１，…，５００−Ｎ夫々を備えるものである。
【０１０４】
また、電力分配制御システム１Ｄは、単相三線から成る電力供給路によって、商用電源及び蓄電池システムからの電力を、特定負荷群２００−１，…，２００−Ｎ夫々及び一般負荷群３００−１，…，３００−Ｎ夫々へ配電する。
【０１０５】
図１２（ｂ）を用いて、開閉器５００−１，…，５００−Ｎ夫々の構成を説明する。
【０１０６】
開閉器５００は、接点部５１０及び励磁コイル部５２０を備える。
【０１０７】
接点部５１０は、単相三線から成る電力供給路の開閉を行う。
【０１０８】
接点部５１０は、励磁コイル部５２０に電流が流れている状態では、励磁コイル部５２０の励磁作用により閉状態（一般負荷群への電力が通電している状態）となる。また、接点部５１０は、励磁コイル部５２０に電流が流れていない状態では開状態（一般負荷群への電力が通電していない状態）となる。
【０１０９】
また、接点部５１０は、ユーザが、ボタンの押下等のオン操作を行っている状態では閉状態となり、ユーザがオン操作を行っていない状態では開状態となる機能も備える。
【０１１０】
励磁コイル部５２０の両端は、単相三線から成る電力供給路と接続され、閉回路を形成している。そして、励磁コイル部５２０は励磁作用により、接点部５１０の開閉を行う。
【０１１１】
具体的には、励磁コイル部５２０は、励磁コイル部５２０部に電流が流れている状態では、励磁作用により接点部５１０を閉状態とさせる。励磁コイル部５２０は、励磁コイル部５２０に電流が流れていない状態では、接点部５１０を開状態とさせる。
【０１１２】
なお、励磁コイル部５２０は、電力供給路に流れる交流電流を直流電流に変換する整流器（不図示）を内蔵することで、開閉器５００はＡＣ駆動する。
【０１１３】
続いて、図１３及び図１４を用いて、開閉器５００の動作について説明する。
【０１１４】
図１３（ａ）は、商用電源からの電力が通電している、即ち負荷群に商用電源からの電力が供給されている状態を示している。このとき、励磁コイル部５２０には電流が流れ続けるため、接点部５１０は閉状態を維持する（励磁コイル部５２０：励磁）。
【０１１５】
図１３（ｂ）は、商用電源からの電力が通電している状態（図１３（ａ））から、商用電源からの電力が停止した状態を表している。図１３（ｂ）において、励磁コイル部５２０には電流が流れないため、接点部５１０は開状態となる（励磁コイル部５２０：非励磁）。
【０１１６】
図１３（ｃ）は、商用電源からの電力が停止（図１３（ｂ））後、蓄電池システム１０が電力供給を開始した状態を表している。図１３（ｃ）において、励磁コイル部５２０に電流が流れていないため、接点部５１０は開状態の維持し（励磁コイル部５２０：非励磁）、蓄電池システム１０からの電力は通電していない。
【０１１７】
図１４（ａ）は、蓄電池システム１０の電力供給を開始（図１３（ｃ））後、ユーザがオン操作を行っている状態を表している。図１４（ａ）において、ユーザのオン操作により接点部５１０が閉状態となり、蓄電池システム１０からの電力が通電している。
【０１１８】
図１４（ｂ）は、ユーザのオン操作による蓄電池システム１０からの電力通電（図１４（ａ））により、励磁コイル部５２０には電流が流れ続け、接点部５１０は閉状態を維持している状態を表している（励磁コイル部５２０：励磁）。
【０１１９】
上記において、商用電源が停電状態となり、負荷群への電源が商用電源から蓄電池システムに切り替えられた場合における開閉器５００の動作について説明した。負荷群への電源が蓄電池システムから商用電源に切り替えられる場合における開閉器５００の動作は、上記で説明したものと同様である。
【０１２０】
なお、図１４（ｃ）に示すように、開閉器５００は更にランプ５３０及び５４０を備え、ユーザに電源からの電力供給状態と、電力通電状態とを通知してもよい。
【０１２１】
具体的には、商用電源又は蓄電池システムから負荷群へ電力供給が開始されるとランプ５３０に電力が供給され、ランプ５３０が点灯する。ランプ５３０が点灯することで、ユーザは商用電源又は蓄電池システム１０から負荷群へ電力供給が行われている状態であることを認識し、開閉器５００のオン操作を行うことができる。また、商用電源又は蓄電池システムから負荷群への電力が通電するとランプ５４０に電力が供給され、ランプ５４０が点灯する。ランプ５４０が点灯することで、ユーザは商用電源又は蓄電池システムから負荷群への電力が通電している状態であることを認識できる。
【０１２２】
なお、ユーザに電源からの電力供給状態と、電力通電状態とを通知する方法はランプに限定されず、アラームやディスプレイの表示等の様々な方法が用いられてもよい。
【０１２３】
このように、本実施の形態５の電力分配制御システム１Ｄでは、電力分配制御装置を設けずに、蓄電池システムからの電力供給開始後、需要家夫々について、ユーザ操作により開閉器５００のオン制御が行われる。そのため、本実施の形態５に係る電力分配制御システム１Ｄによれば、突入電流による電力供給路の電圧降下を抑制し安定的に電力供給を行いつつ、需要家の利便性を図ることができる。
【０１２４】
なお、上記では一例として単相３線で負荷群に電力供給が行われる場合について説明したが、本実施の形態５に係る電力分配制御システム１Ｄはこの場合に限定されない。開閉器５００を変形し、単相で負荷群に電力供給を行うとしてもよい。
【０１２５】
＜６．実施の形態６＞
本実施の形態６では、需要家毎に分岐した電力供給路夫々の下流において、任意の数の特定負荷群及び一般負荷群夫々に分岐した電力供給路に設けた開閉器夫々に対して開閉制御を行う電力分配制御システムについて説明する。なお、本実施の形態６において、上記各実施の形態と同様の構成及び動作については、同じ符号を付し、その説明を省略する。
【０１２６】
図１５に示すように、本実施の形態６に係る電力分配制御システム１Ｅにおいて、需要家１の電力供給路の下流で分岐した電力供給路夫々には、開閉器６１０−１，…，６１０−Ｐ夫々と、開閉器６２０−１，…，６２０−Ｑ夫々とが設けられている。そして、開閉器６１０−１，…，６１０−Ｐ夫々の下流の電力供給路には、需要家１の使用する特定負荷群６０１−１，…，６０１−Ｐ夫々がつながれている。また、開閉器６２０−１，…，６２０−Ｑ夫々の下流の電力供給路には、需要家１の使用する一般負荷群６０２−１，…，６０２−Ｑ夫々がつながれている。なお、Ｐ及びＱは夫々任意の数とする。
【０１２７】
開閉器６１０−１，…，６１０−Ｐ夫々と、開閉器６２０−１，…，６２０−Ｑ夫々とは、電力分配制御装置５０の制御に基づいて電力供給路の開閉を行う。
【０１２８】
本実施の形態６に係る電力分配制御システム１Ｅは、これ以外は上記実施の形態１に係る電力分配制御システム１と同様である。
【０１２９】
このように、本実施の形態６の電力分配制御システム１Ｅでは、蓄電池システムから負荷群への電力供給開始時に、需要家夫々について、任意の数の特定負荷群及び一般負荷群夫々の電力供給路に設けられた開閉器夫々に対して、順にオン制御が行われる。
【０１３０】
なお、図１６（ａ）に示すように、特定負荷群と一般負荷群とを定めてもよい。
【０１３１】
図１６（ａ）において、例えば部屋Ａの照明が特定負荷群と定義され、部屋Ａ以外の部屋の照明は一般負荷群と定義されている。
【０１３２】
また、電化製品夫々について、電化製品を構成する負荷群の内、一部を特定負荷群とし、特定負荷群でない負荷群を一般負荷群としてもよい。
【０１３３】
図１６（ａ）において、例えば冷凍冷蔵庫については、送風機の動作に必要な負荷群は特定負荷群と定義され、コンプレッサの動作に必要な負荷群は一般負荷群と定義されている。なお、冷凍冷蔵庫を構成する負荷群における特定負荷群と一般負荷群との定義はこれに限定されない。例えば、冷凍冷蔵庫の冷凍及び冷蔵機能に関する負荷群を特定負荷群と定義し、それ以外の冷凍冷蔵庫内の照明等の負荷群を一般負荷群と定義してもよい。
【０１３４】
また、図１６（ａ）において、例えばエアコンについては、室内機の動作に必要な負荷群は特定負荷群と定義され、室外機の動作に必要な負荷群は一般負荷群と定義されている。
【０１３５】
このように、一の電化製品を構成する負荷群について、特定負荷群と一般負荷群とを定義し、特定負荷群及び一般負荷群の夫々の電力供給路に開閉器を設けることで、特定負荷群及び一般負荷群の夫々で異なる電力供給制御を行うことができる。
【０１３６】
図１６（ｂ）に、特定負荷群及び一般負荷群夫々において停電時に蓄電池システムから電力が投入される順位、言い換えると電力分配制御装置５０の制御部５２による開閉器夫々のオン制御順位を定める方法の一例を挙げる。
【０１３７】
図１６（ｂ）に示すように、制御部５２が開閉器夫々をオン制御する際に、「特定負荷群全て」、「エアコンの一般負荷群」、「その他の一般負荷群」の順に電力供給が開始されるように、開閉器夫々がオン制御されてもよい。
【０１３８】
また、別の例として、以下の例が挙げられる。
【０１３９】
冷凍冷蔵庫が特定負荷として定義され、その他の機器が一般負荷として定義される場合、停電時に蓄電池システムから電力が投入される順位が、一般負荷、特定負荷の順であってもよい。この場合、停電してから一般負荷に対応する開閉器をオン制御するまでの時間は数秒単位であることが好ましい。また、停電してから特定負荷に対応する開閉器をオン制御するまでの時間は数分単位であることが好ましい。
【０１４０】
このように、本実施の形態５に係る電力分配制御システム１Ｄによれば、突入電流による電力供給路の電圧降下を抑制し安定的に電力供給を行いつつ、より柔軟に蓄電池システムから、需要家夫々について任意の数の特定負荷群及び一般負荷群夫々へ電力投入することができる。
【０１４１】
＜７．実施の形態７＞
近年、資源の不足による発電量の低下や、災害の影響による発電所の停止等が原因で、商用電源の電力供給量が逼迫することが問題となっている。
【０１４２】
上記問題に対して、発明者は、商用電源の電力供給状態の逼迫度合いに応じて、一部の負荷への電力供給停止や、蓄電池システムから負荷群への電力供給といった、商用電源の節電を図る制御を行うことで、商用電源の電力供給状態の逼迫軽減を図ればよいという知見を得た。
【０１４３】
本実施の形態７では、電源の電力供給状態の逼迫度合いに応じて、商用電源の節電を図る制御を行う電力分配制御システムを提供する。
【０１４４】
図１７を用いて、本実施の形態７に係る電力分配制御システム１Ｆについて説明する。なお、本実施の形態７において、上記各実施の形態と同様の構成及び動作については、同じ符号を付し、その説明を省略する。
【０１４５】
本実施の形態７に係る電力分配制御システム１Ｆの構成は、上記実施の形態６に係る電力分配制御システム１Ｅの構成から停電検出器２０を除き、電源切替ユニット３０の代わりに電源コントロールユニット１６０を備え、電力分配制御装置５０の代わりに電力分配制御装置７００を備えるものである。
【０１４６】
なお、上記実施の形態３及び６では、早い電力復旧が望ましい負荷を「特定負荷」と言い、そうでない負荷を「一般負荷」と言うと説明したが、本実施の形態７では、優先的に電力供給が行われることが望ましい負荷を「特定負荷」と言い、そうでない負荷を「一般負荷」と言う。
【０１４７】
電源コントロールユニット１６０は、後述する電力分配制御装置７００の制御に基づいて、商用電源からの電力と、蓄電池システム１０とからの電力を需要家夫々の負荷群へ供給する。
【０１４８】
電力分配制御装置７００は、制御ルール記憶部７１０及び制御部７２０を備える。
【０１４９】
制御ルール記憶部７１０は、制御部７２０が商用電源の管轄元からの節電要求に応じて行う制御の規則を記憶している。制御ルール記憶部７１０の詳細は後述する。
【０１５０】
制御部７２０は、ネットワーク３を介して、商用電源の管轄元からの節電要求の通知を受けると、制御ルール記憶部７１０を参照し、節電要求に応じた電源コントロールユニット１６０の制御、並びに開閉器６１０−１，…，６１０−Ｐ夫々及び６２０−１，…，６２０−Ｑ夫々の制御を行う。また、制御部７２０は、ネットワーク３を介して、商用電源の管轄元からの節電要求の解除の通知を受けると、節電要求に応じて行った電源コントロールユニット１６０の制御や、開閉器６１０−１，…，６１０−Ｐ夫々及び６２０−１，…，６２０−Ｑ夫々の制御を解除する制御を行う。
【０１５１】
ここで、商用電源の管轄元からの節電要求、及び商用電源の管轄元からの節電要求に応じた制御部７２０の制御ルールの具体例について説明する。
【０１５２】
本具体例において、電力分配制御装置７００は、商用電源の管轄元から、商用電源の電力供給状態の逼迫度合いに応じて、節電要求度合いが強い順に「強」、「中」及び「弱」の３段階の節電要求通知を受けるとする。
【０１５３】
また、「強」、「中」及び「弱」の３段階の節電要求夫々に対する、節電方法が図１８（ａ）に示すように定められているとする。
【０１５４】
図１８（ａ）において、（i）節電要求が「強」の場合、需要家ＩＤ１に対して、エアコンと照明の全てを落とし（なお、照度を落とす方法でもよい）、更に蓄電池システムから需要家ＩＤ１の負荷群に対して２（ｋＷｈ）に電力を供給することが定められている。また、（ii）節電要求が「中」の場合、需要家ＩＤ１に対して、エアコンと冷凍冷蔵庫の一般負荷を落とし、更に蓄電池システムから需要家ＩＤ１の負荷群に対して１（ｋＷｈ）の電力を供給することが定められている。また、（iii）節電要求が「弱」の場合、需要家ＩＤ１に対してエアコンの一般負荷を落とす（、又はエアコンの温度設定を変更する）ことが定められている。
【０１５５】
なお、すべての負荷は、同じ電源（系統又は蓄電池）への電力供給の切り替えを行う構成（電源コントロールユニットを備える構成）になっているが、負荷毎に、独立に電源の切り替え（系統又は蓄電池）を行う開閉器（電源コントロールユニット）を備え、さらに、選択された電源から負荷毎に電力供給のON／OFFを行う開閉器を備えてもよい。この構成により、電力逼迫時は、系統から電力供給する負荷と、蓄電池から電力供給を行う負荷を用意できるため、全体の負荷への電力供給を維持しながら、蓄電池から電力供給を行った分だけ、電力のピークを削減することが可能となる。なお、系統から電力供給する負荷も、蓄電池から電力供給する負荷も、複数のグループから構成されていてもよい。なお、本構成は、集合住宅内部の構成と見てもよいし（例えば、負荷は住居単位）、１つの住居内の構成とみなしてもよい（例えば、負荷は回路単位）。
【０１５６】
図１８（ｂ）に、本具体例における制御ルール記憶部７１０に記憶されている情報の一例を示す。
【０１５７】
図１８（ｂ）において、制御ルール記憶部７１０は、「強」、「中」及び「弱」の３段階の節電要求夫々に応じて制御部７２０が行う制御規則を記憶している。
【０１５８】
具体的には、制御ルール記憶部７１０は、「節電要求デマンド」、「需要家ＩＤ」、「オフ制御する開閉器ＩＤ」及び「蓄電池システムからの電力供給量」を含み、需要家夫々について、「強」、「中」及び「弱」の３段階の節電要求夫々に応じてオフ制御を行う開閉器のＩＤ情報を記憶している。また、制御ルール記憶部７１０は、需要家夫々について、「強」及び「中」の節電要求夫々に応じて、蓄電池システムから需要家の負荷群へ供給する電力量を記憶している。
【０１５９】
ここで、本具体例における制御部７２０の動作を説明する。
【０１６０】
例えば、図１８（ｂ）において、制御部７２０は、商用電源の管轄元から「強」の節電要求の通知を受けると、開閉器ＩＤ１、３、４、７、８及び９の開閉器夫々をオフ制御することで、エアコンと照明への電力供給を停止させる。
【０１６１】
そして、制御部７２０は更に、電源コントロールユニット１６０に、蓄電池システム１０に対して、需要家１に２（ｋＷｈ）の電力を供給させるよう指示する。
【０１６２】
このとき、電源コントロールユニット１６０は、制御部７２０の指示を受け付けて、蓄電池システム１０に対して２（ｋＷｈ）の電力を供給するように指示し、商用電源から供給される電力に加えて、蓄電池システム１０から供給される電力を負荷群に配電する。
【０１６３】
なお、図１８（ｂ）において制御部７２０は、「中」及び「弱」夫々の節電要求の通知を受けた場合も同様に、「中」及び「弱」夫々の節電要求に対応する開閉器のオフ制御や、蓄電池システムからの電力供給に関する制御を行う。
【０１６４】
また、上記では需要家１に対する動作について説明したが、制御部７２０は、その他の需要家についても、需要家１に対する制御と同様に、制御ルール記憶部７１０に記憶されている情報に従って、開閉器夫々のオフ制御及び蓄電池システム１０から負荷群への電力供給制御を行う。
【０１６５】
ここで、商用電源の管轄元からの節電要求、及び商用電源の管轄元からの節電要求に応じた制御部７２０の制御ルールの別の具体例について説明する。
【０１６６】
上記で説明した具体例と同様に、商用電源の管轄元は、商用電源の電力供給状態の逼迫度合いに応じて、節電要求度合いが強い順に「強」、「中」及び「弱」の３段階の節電要求を戸別分配制御装置に通知するとする。
【０１６７】
このとき、例えば、商用電源の管轄元からの「強」の節電要求に対して、商用電源の電力使用量を５（ｋＷｈ）、「中」の節電要求に対して、商用電源の電力使用量を３（ｋＷｈ）、「弱」の節電要求に対して、商用電源の電力使用量を１（ｋＷｈ）節電するといった節電目標が定められているとしてもよい。
【０１６８】
そして、その定められている節電目標に応じて、オフ制御される開閉器や、蓄電池システム１０から負荷群への電力供給量が決定されてもよい。
【０１６９】
なお、上記において、制御部７２０は、ネットワーク３を介して、商用電源の管轄元（例えば、電力会社）から、商用電源の電力供給状態の逼迫度合いに応じた、節電要求の通知、及び節電要求の解除の通知を受けると説明したが、本実施の形態はこれに限定されない。
【０１７０】
例えば、夏場の日中や冬場の夜間等の電力消費量が多くなることが予想される時間帯を、予め商用電源の逼迫時間と設定しておく。そして、その商用電源の逼迫時間に、制御部７２０は、制御ルール記憶部７１０に記憶されている制御を行うとしてもよい。
【０１７１】
また、例えば、図１９に示すように、電力分配制御システム１Ｆに更に逼迫検出器８００を備え、逼迫検出器８００が、商用電源から負荷群へ供給される電力量をモニタし、商用電源の逼迫を検出してもよい。
【０１７２】
逼迫検出器８００は、例えば図１９に示すように、予めピーク閾値を設定しておき、商用電源から負荷群へ供給される電力量が、設定してあるピーク閾値を越えた場合に、商用電源が逼迫していると判定してもよい。
【０１７３】
なお、逼迫検出器８００は、予め複数のピーク閾値を設定しておくことで、商用電源の電力供給状態の逼迫度合いを検出してもよい。
【０１７４】
なお、本発明で、商用電源の電力供給が逼迫状態を検出する方法としては、電力会社、新電力、アグリゲータから電力供給の逼迫を通知される場合や、高圧受電（マンションの高圧一括受電を含む）している建物においては、建物の電力需要の逼迫状態を検出する方法や、家庭においては、各家庭のスマートメータ、電力計や、分電盤などの機器で設定した電力供給の上限を制限する電流値（例えば、電力会社との契約のアンペア数）との比較から電力の逼迫状態を検出する方法などが適用できる。
【０１７５】
本実施の形態７の電力分配制御システム１Ｆでは、商用電源の電力供給状態の逼迫度合いに応じて、一部の負荷への電力供給停止や、蓄電池システムから負荷群への電力供給といった、商用電源の節電を図る制御を行う。そのため、本実施の形態７に係る電力分配制御システム１Ｆによれば、商用電源の電力供給状態の逼迫軽減を図ることができる。
【０１７６】
＜８．実施の形態８＞
本実施の形態８では、停電や電力逼迫時に蓄電池システム及び、任意の数の特定負荷群及び一般負荷群夫々に分岐した電力供給路に設けた開閉器夫々に対して開閉制御を行う電力分配制御システムについて説明する。なお、本実施の形態８において、上記各実施の形態と同様の構成及び動作については、同じ符号を付し、その説明を省略する。
【０１７７】
図２６は、開閉器８１０−１、８１０−Ｐ、８２０−１、８２０−Ｑに電源切替機能を備えた場合に、停電や電力逼迫時に蓄電池システム１０及び、特定負荷群６０１−１、６０１−Ｐ及び、開閉器に接続した一般負荷群６０２−１、６０２−Ｑ、６０２−Ｒを制御する構成について説明する図である。
【０１７８】
実施の形態８、主に図１５との対比した場合、一般負荷群６０２−Ｒは、配電網２に直結している点、電源切替ユニットの機能を、各開閉器に内蔵した点が主に異なる。以下詳細に説明する。
【０１７９】
蓄電池は集合住宅やビル、戸建に設置された蓄電池であり、複数個で構成されていてもよい。開閉器は、配電網２（系統）からの電力と蓄電池システム１０からの電力を切り替えて、一般負荷もしくは、特定負荷に電力を供給する。なお、この切替時に、蓄電池システム１０に接続されない電力供給がオフの状態が生じる（切替時間はかなり短いが、機器への電力供給が停止するため、機器の停止と再稼動のための時間も含まれる）。
【０１８０】
一般負荷でも、系統に直接接続される一般負荷は停電時には、負荷への電力供給は停止するが、電力逼迫時には、電力供給は継続される。この負荷については、例えば、エアコンや洗濯機など、電力負荷（消費電力や突入電流が大きい）が高い機器が該当する。電力逼迫時には、エアコンをＯＮ／ＯＦＦしたり、設定温度の調整を行うことで消費電力を抑制する。電力の逼迫情報に基づき、エアコンのＯＮ／ＯＦＦや、エアコンの設定温度を調整する手段を空気調和手段と定義して用意し、電力配分制御装置の一部として実現してよい。
【０１８１】
開閉器経由で、蓄電池システム１０に接続されている一般負荷や、特定負荷は、系統から蓄電池システム１０への開閉器の切替に伴い、停電が生じる。蓄電池システム１０に接続された一般負荷としては、例えば、テレビや情報通信機器（ルータ、電話、ＰＣなど）が対象となり、特定負荷については、例えば、冷蔵庫が該当する。これらの機器の電力需要は比較的、変動が少ないため、一定時間の電力計測により、蓄電池の放電量からの供給可能な時間の情報提供や、電力逼迫時に節電できる量を、電力会社へ提供しやすい。
【０１８２】
これらの開閉器は、前述の電力分配制御装置５０から制御を行う。電力分配制御装置５０は、開閉器を制御する制御ルールを記憶するオン制御順位記憶部５１と、オン制御ルールに基づいて、開閉器の制御を行う制御部５２から構成される。
【０１８３】
オン制御ルールには前述までと同様であり、例えば、テレビや情報通信機器が接続された一般負荷に対して、開閉器を制御することで系統から蓄電池システム１０に切り替える。切り替わりにより、機器が停止し、機器が正常に再稼動するまでの所定時間は、開閉器の切替遅延も含めて、１分未満であり、例えば、数ミリ秒以上であって、６０秒未満である。
【０１８４】
これらの機器は、停電から復旧後、自動的に通電する機器であり、突入電流や消費電力が大きい、冷蔵庫や炊飯器を含まない機器が対象である。
【０１８５】
また、冷蔵庫（特定負荷）に対して、開閉器を制御することで、系統から蓄電池システム１０に切り替える。突入電流を抑制するために、冷蔵庫が停止してから、冷蔵庫が正常に再稼動するまでの所定時間は、一般負荷に対して、開閉器の切替のタイミングを遅延させるため、開閉器の切替遅延を含めて１分以上である。例えば、１分以上であって、１０分以下である。冷蔵庫以外に炊飯器に対して適用してもよい。
【０１８６】
上記の開閉器の切替動作は、停電時の通知や電力逼迫時に通知された場合に動作する。開閉器は、分電盤や、蓄電池、コントローラなどの機器に内蔵される形で実装してもよい。また、開閉器や電力配分制御装置には停電時、平常時、電力逼迫時とも電力が供給される前提である。さらに、ここで示したシステム構成は、集合住宅やビルの内部の構成（需要家単位）とみなしてもよいし、１つの戸建の住居内の構成（住居単位）を示しているとみなしてもよい。
【０１８７】
なお、蓄電池の放電については、蓄電池からの放電の時刻をランダムに、各家庭において遅らせることで（放電開始時刻調整処理）、多くの家庭から構成される集合住宅（又は、分譲住宅地）では、集合住宅内での放電量の合計値を一定にしやすい。集合住宅内（又は、分譲住宅地）の放電量を一定にすることで、デマンドレスポンスやピークカット時の電力削減効果を電力会社や住民にコミットしやすい。また、一定時間経過毎（例えば、３０分毎）に放電開始時刻調整処理を行うことで負荷の変動による蓄電池からの供給終了予定の時刻の変化に追随できる。蓄電池からの供給終了予定の時刻は、蓄電池の現在の残量と、一定時間での放電量、例えば、３０分間での負荷の電力使用量や蓄電池の放電量から算出することができる。加えて、各家庭の蓄電池の放電量やＳＯＣを計測することで、集合住宅全体の放電量を観測することができる。さらに、充電は、電力料金が安い深夜に行えばよい。
【０１８８】
本実施の形態８の電力分配制御システム１Ｇでは、商用電源の電力供給状態の逼迫度合いに応じて、一部の負荷への電力供給停止や、蓄電池システムから負荷群への電力供給といった、商用電源の節電を図る制御を行う。また、配電網２に、開閉器を介さず直結した一般負荷群を有するため逼迫時においても配電網２から一定の電力供給を受け続けることができる。そのため、本実施の形態８に係る電力分配制御システム１Ｇによれば、商用電源の電力供給状態の逼迫軽減を図ることができる。
【０１８９】
＜９．変形例＞
上記各実施の形態で説明したシステム及び装置を、以下に記載するように変形させてもよい。なお、以下に記載する変形例において、上記各実施の形態で説明した構成及び動作については、同じ符号を付し、その説明を省略する。
【０１９０】
（１）上記各実施の形態に係る電力分配制御システムにおいて、電力分配制御装置（又は、戸別電力分配制御装置）は、開閉器夫々のオン制御及びオフ制御に関する情報、言い換えると、開閉器夫々に対応する負荷群への電力供給に関する情報を、需要家夫々が閲覧可能な端末に提供するようにしてもよい。
【０１９１】
具体例として、図２０を用いて上記実施の形態２に係る電力分配制御装置５０Ａが、開閉器夫々のオン制御及びオフ制御に関する情報を一の需要家へ提供する一例を説明する。
【０１９２】
表示装置４は、一の需要家が閲覧可能な端末であり、電力分配制御装置５０Ａから取得した情報を表示する。
【０１９３】
例えば、電力分配制御装置５０Ａは、表示装置４に、開閉器のオン制御の進行度を示す情報を提供するとしてもよい。
【０１９４】
そして、表示装置４は電力分配制御装置５０Ａから取得した情報を、例えば図２０（ａ）に示すように表示してもよい。
【０１９５】
図２０（ａ）は、電力分配制御装置５０Ａにおいて「１」から「５」のオン制御順位が定められており、オン制御順位１及び２の開閉器のオン制御が完了している、即ち蓄電池システム１０から、オン制御順位１及び２のグループに属する需要家への電力配電が開始している状態を示している。
【０１９６】
また、例えば電力分配制御装置５０Ａは、更に表示装置４に、表示装置４を利用する一の需要家が属するグループのオン制御順位を示す情報を提供するとしてもよい。
【０１９７】
そして、表示装置４は電力分配制御装置５０Ａから取得した情報を、例えば図２０（ｂ）に示すように表示してもよい。
【０１９８】
図２０（ｂ）は、表示装置４を利用する一の需要家は、オン制御順位４が定められたグループに属していることを表している。
【０１９９】
図２０（ａ）及び図２０（ｂ）の表示により、一の需要家は、蓄電池システム１０からの電力バックアップ状況と、一の需要家への電力バックアップが行われるまでの見通しを立てることができる。
【０２００】
また、例えば電力分配制御装置５０Ａは、表示装置４を利用する一の需要家が蓄電池システム１０から電力バックアップを受けられるまでの時間を推定し、その推定した時間を示す情報を表示装置４に提供するとしてもよい。
【０２０１】
そして、表示装置４は、電力分配制御装置５０Ａから取得した情報を、例えば図２０（ｃ）に示すように表示してもよい。
【０２０２】
図２０（ｃ）は、一の需要家へ蓄電池システムから電力バックアップが行われるまでの時間を表している。
【０２０３】
なお、上記実施の形態３、６及び７において表示装置４は、蓄電池システム１０から特定負荷群及び一般負荷群の夫々への電力供給状態を示す情報を取得し表示するとしてもよい。
【０２０４】
また、表示装置４は、上記各実施の形態において、停電状態を示す情報を取得し表示してもよいし、上記実施の形態７において、商用電源の逼迫度合いを示す情報を取得し表示するとしてもよい。
【０２０５】
（２）上記実施の形態１から６において、電力分配制御装置（又は、戸別電力分配制御装置）の制御部は、オン制御順位記憶部に記憶されているオン制御順位に従って、開閉器夫々をオン制御すると説明したが、電力分配制御装置はこれに限定されない。
【０２０６】
例えば、電力分配制御装置は、オン制御順位記憶部の代わりに、開閉器夫々について、開閉器をオフ制御してからオン制御するまでのオン制御時間を記憶するオン制御時間記憶部を備える。そして、電力分配制御装置は、制御部において、オン制御時間に従って、開閉器夫々をオン制御するとしてもよい。
【０２０７】
図２１を用いて具体例を説明する。
【０２０８】
図２１は、上記実施の形態４の戸別電力分配制御装置１５０においてオン制御順位記憶部１５１の代わりに備えられる、オン制御時間記憶部に記憶される情報の一例を示す。
【０２０９】
図２１において、オン制御時間記憶部は、「開閉器ＩＤ」及び「オン制御時間」の項目を含み、開閉器夫々について、制御部１５２によるオフ制御が行われてからオン制御が行われるまでの時間を記憶している。
【０２１０】
このとき、制御部１５２は、タイマ機能により、ステップＳ２０２（図１２）で開閉器全てのオフ制御を行ってから、１２０秒が経過したと判定すると、開閉器ＩＤ１の開閉器をオン制御する。同様に、制御部１５２は、ステップＳ２０２から、２４０秒が経過したと判定すると、開閉器ＩＤ２の開閉器をオン制御するとしてもよい。
【０２１１】
（３）上記実施の形態１に係る電力分配制御装置５０の制御部５２は、ステップＳ１０４（図３）において、例えば、予め定められている時間間隔を空けて、開閉器をオン制御すると説明したが、制御部５２の制御はこれに限定されない。
【０２１２】
例えば、制御部５２は、蓄電池システムから負荷群への電力供給路をモニタし、一の開閉器のオン制御後において、その一の開閉器のオン制御により発生した突入電流の値が予め定められた閾値以下に収まったと判定した後に、次のオン制御順位が定められている開閉器をオン制御するとしてもよい。
【０２１３】
（４）上記各実施の形態において、複数の需要家で蓄電池システムを共有する場合の例について説明したが、一の需要家が蓄電池システムを占有するとしてもよい。
【０２１４】
例えば、図２２に示すように、一の需要家である需要家Ｘが蓄電池システム１１を備え、需要家Ｘへの電力供給路に設けられた戸別電源切替ユニット９００によって、負荷群１００−Ｘの電源である商用電源と蓄電池システム１１とが切り替えられてもよい。
【０２１５】
蓄電池システム１１は、上記各実施の形態の蓄電池システム１０と同様の機能を備える。但し、蓄電池システム１１は負荷群１００−Ｘへ電力を供給する。
【０２１６】
戸別電源切替ユニット９００は、上記各実施の形態の電源切替ユニットと同様に、負荷群の電源の切り替えを行う。但し、戸別電源切替ユニット９００は、負荷群１００−Ｘの電源（商用電源と蓄電池システム１１と）の切り替えを行う。
【０２１７】
（５）上記各実施の形態及び変形例で説明した電源切替ユニット（戸別電源切替ユニット）について補足する。
【０２１８】
電源切替ユニットは、例えば上記実施の形態６で説明したように、商用電源から負荷群への電力供給時に、蓄電池システムから負荷群への電力供給を行ってもよい。
【０２１９】
また、電源切替ユニットは、商用電源と蓄電池システムとを完全に切り替えて、商用電源と蓄電池システムからの電力との何れか一方が、負荷群への電力を供給するとしてもよい。
【０２２０】
ここで、図２３を用いて、商用電源と蓄電池システムとを完全に切り替える場合の電源切替ユニットの構成の具体例について説明する。図２３は、上記変形例（２）の戸別電源切替ユニット９００の構成例である。また、図２３において、負荷群１００−Ｘは単相三線により、商用電源及び蓄電池システム１１から電力供給を受けるとする。
【０２２１】
図２３の戸別電源切替ユニット９００は、第１電磁コンタクタ９１０及び第２電磁コンタクタ９２０を備える。
【０２２２】
第１電磁コンタクタ９１０は、主接点部９１１、副接点部９１２、及び励磁コイル部９１３を備える。
【０２２３】
主接点部９１１は、単相三線から成る商用電源の電力供給路の開閉を行う。
【０２２４】
副接点部９１２は、蓄電池システム１１から後述する第２電磁コンタクタ９２０の励磁コイル部９２３への電力供給路の開閉を行う。
【０２２５】
励磁コイル部９１３の両端は、単相三線から成る商用電源の電力供給路に接続され、閉回路を形成している。そして、励磁コイル部９１３は励磁作用により、主接点部９１１及び副接点部９１２の開閉を行う。
【０２２６】
具体的には、励磁コイル部９１３に電流が流れている状態では、主接点部９１１は閉状態（商用電源から負荷群１００−Ｘへの供給電力が通電する状態）となり、副接点部９１２は開状態（蓄電池システム１１から励磁コイル部９２３への供給電力が通電しない状態）となる（励磁コイル部９１３：励磁）。また、励磁コイル部９１３に電流が流れていない状態では、主接点部９１１は開状態（商用電源から負荷群１００−Ｘへの供給電力が通電しない状態）となり、副接点部９１２は閉状態（蓄電池システム１１から励磁コイル部９２３への供給電力が通電する状態）となる（励磁コイル部９１３：非励磁）。
【０２２７】
なお、励磁コイル部９１３は、電力供給路に流れる交流電流を直流電流に変換する整流器（不図示）を内蔵することで、第１電磁コンタクタ９１０はＡＣ駆動する。
【０２２８】
第２電磁コンタクタ９２０は、主接点部９２１、副接点部９２２、及び励磁コイル部９２３を備える。
【０２２９】
主接点部９２１は、単相三線から成る蓄電池システム１１の電力供給路の開閉を行う。
【０２３０】
副接点部９２２は、商用電源から第１電磁コンタクタの励磁コイル部９１３への電力供給路の開閉を行う。
【０２３１】
励磁コイル部９２３の両端は、単相三線から成る蓄電池システムの電力供給路と接続され、閉回路を形成している。そして、励磁コイル部９２３は励磁作用により、主接点部９２１及び副接点部９２２の開閉を行う。
【０２３２】
具体的には、励磁コイル部９２３に電流が流れている状態では、主接点部９２１は閉状態（蓄電池システム１１から負荷群１００−Ｘへの供給電力が通電する状態）となり、副接点部９２２は開状態（商用電源から励磁コイル部９１３への供給電力が通電しない状態）となる（励磁コイル部９２３：励磁）。また、励磁コイル部９２３に電流が流れていない状態では、主接点部９２１が開状態（蓄電池システム１１から負荷群１００−Ｘへの供給電力が通電しない状態）となり、副接点部９２２は閉状態（商用電源から励磁コイル部９１３への供給電力が通電する状態）となる（励磁コイル部９２３：非励磁）。
【０２３３】
なお、励磁コイル部９２３は、電力供給路に流れる交流電流を直流電流に変換する整流器（不図示）を内蔵することで、第２電磁コンタクタ９２０はＡＣ駆動する。なお、本開示は三相交流の電力システムに適用してもよい。
【０２３４】
（i）商用電源から負荷群１００−Ｘへの供給電力が通電している状態において、蓄電池システム１１から負荷群１００−Ｘへの電力供給が停止している場合、第２電磁コンタクタ９２０の副接点部９２２は閉状態であるため、第１電磁コンタクタ９１０の励磁コイル部９１３には電流が流れる。励磁コイル部９１３に電流が流れ続けることで、主接点部９１１は閉状態を維持し、商用電源から負荷群への供給電力が通電している状態が維持される。
【０２３５】
なお、このとき（励磁コイル部９１３に電流が流れ続けているとき）、副接点部９１２は開状態を維持する。そのため、商用電源から負荷群１００−Ｘへの供給電力が通電している場合において、負荷群へ蓄電池システム１１から電力供給が開始されたとしても、第２電磁コンタクタ９２０の励磁コイル部９２３には電流が流れないため、第２電磁コンタクタ９２０の主接点部９２１は開状態を維持し、蓄電池システム１１から負荷群１００−Ｘへの電力は通電しない。
【０２３６】
（ii）商用電源から負荷群１００−Ｘへの電力供給が停止している状態において、蓄電池システム１１から負荷群１００−Ｘへの供給電力が通電している場合、第１電磁コンタクタ９１０の副接点部９１２は閉状態であるため、第２電磁コンタクタ９２０の励磁コイル部９２３には電流が流れる。そして、励磁コイル部９２３に電流が流れ続けることで、主接点部９２１は閉状態を維持し、蓄電池システム１１から負荷群１００−Ｘへの供給電力が通電している状態が維持される。
【０２３７】
なお、このとき（励磁コイル部９２３に電流が流れ続けているとき）、副接点部９２２は開状態を維持する。そのため、蓄電池システム１１から負荷群１００−Ｘへの供給電力が通電している場合において、負荷群１００−Ｘへ商用電源から電力供給が開始されたとしても、第１電磁コンタクタ９１０の励磁コイル部９１３には電流が流れないため、第１電磁コンタクタ９１０の主接点部９１１は開状態を維持し、商用電源から負荷群１００−Ｘへの電力は通電しない。
【０２３８】
戸別電源切替ユニット９００を、図２３に示す構成とすることで、商用電源と蓄電池システム１１の両方から負荷群１００−Ｘへ電力供給が行われることなく、蓄電池システム１１を運用することができる。
【０２３９】
なお、上記では一例として単相３線で負荷群に電力供給が行われる場合について説明したが、上述した戸別電源切替ユニット９００の電源切替方法はこの場合に限定されない。図２３の戸別電源切替ユニット９００を変形し、単相で負荷群に電力供給を行うとしてもよい。
【０２４０】
また、上述した戸別電源切替ユニット９００の電源切替方法を、上記各実施の形態に係る電力分配制御システムの電源切替ユニットに適用してもよい。
【０２４１】
（６）上記実施の形態２において、設定装置による開閉器夫々のグループの設定、及びグループ毎の開閉器夫々のオン制御順位を設定について説明したが、以下に記載するように、これらの設定を行ってもよい。
【０２４２】
（６−１）例えば、需要家夫々の電力使用量の履歴情報や、需要家夫々へ供給された最大電流値の履歴情報や、需要家夫々の突入電流の履歴情報等を用いて、机上の計算から需要家夫々で発生する突入電流の推定値を算出する。そして、グループ夫々において、グループに属する需要家夫々の突入電流の推定値の合計が、蓄電池システムの電力供給能力に基づいて定められた閾値に収まるように、グループ夫々の需要家数や需要家の構成を設定するとしてもよい。また、グループ分けに際して、機器の突入電流を加味した上で、住人の生活必需品（例えば、トイレ、照明、通信機器、冷蔵庫）を含み、突入電流が小さく、かつ、消費電力が低い機器を含むグループ順（蓄電池の持ちが長くなる）に優先順位が高くなるように設定してもよい。消費電力とは、機器の待機電力、平均消費電力、最大消費電力、予め定めた期間（例えば、３０分間隔）の電力の変動量や、電力の変動回数の少なくとも１つ以上の情報を用いる。なお、消費電力、入力電流値、突入電流のいずれかが不明な機器と、それらの値が明確な機器を区別してグループ化しておくことで、蓄電池からの異常な量の電力供給や、突入電流による蓄電池のダウンの発生時の課題の切り分けが行いやすくなる。
【０２４３】
構成方法としては、グループは、分電盤単位や、回路を分けるブレーカ単位での分割を考えてよい。分電盤内には、複数のグループのブレーカ（他の構成として、開閉器、リレー、スイッチ、電磁コイル、接点の切替器など）を混在させて実現してもよいし、分岐回路毎の電力使用量をＣＴなどで計測し、グループ毎の電力使用量を住民への電力使用量の見える化のために使用したり、停電時や電力逼迫時に蓄電池の残量に対して使用可能な残り時間を推定するために使用してもよい。また、これらの機能の一部又は全部を蓄電池、コントローラなどの装置に含む構成で実現してもよい。なお、蓄電システムは、電力供給の許可を住人に求めたり、蓄電残量が少ない場合には、電力逼迫（計画停電含む）の時間帯の前後の時間帯や、電力が安い時間帯（例えば、夜間）に充電を自動的に行ってもよい。
【０２４４】
本発明の実施例として示した、集合住宅としてのシステム構成だけでなく、本発明で示した構成の一部もしくは全部を蓄電システムや、コントローラのような装置として構成して実現してもよい。
【０２４５】
（６−２）また、上記（６−１）の需要家夫々で発生する突入電流の推定値は、需要家夫々の電力消費者の構成（家族構成）に基づいて、机上の計算から算出してもよい。
【０２４６】
（６−３）また、グループ数が多くなるほど、オン制御順位が遅いグループに属する需要家は長い時間、蓄電池システムからの電力供給を待つことになる。そこで、グループ数が少なくなるように、グループ夫々の需要家数及び需要家の構成を設定してもよい。
【０２４７】
（６−４）また、グループ毎の開閉器夫々のオン制御順位は、一のグループのオン制御順位がいつも下位の順位にならないように設定してもよい。具体的には、オン制御が一度行われる度に、周期的又はランダムにオン制御順位を変更するようにしてもよい。
【０２４８】
（６−５）また、一部の需要家のオン制御順位が優遇されるように、開閉器夫々のグループ、及びグループ夫々のオン制御順位を設定してもよい。
【０２４９】
（６−５−１）例えば、子供や高齢者、病気等の理由で素早い電力復旧が必要な人物を有する需要家は、同じグループに属するようにグループを設定し、そのグループのオン制御順位を上位に設定してもよい。
【０２５０】
また、集合住宅であれば、集合住宅の入居者が共有して使用する共用部の負荷群へは、素早い電力普及が望ましい。そこで、例えば、共用部の負荷群のオン制御順位が上位となるように、グループ及びオン制御順位を設定してもよい。
【０２５１】
（６−５−２）電力需給契約に応じて一部の需要家のオン制御順位を優遇してもよい。
【０２５２】
電力需給契約が同じ需要家は同じグループに属するようにグループを設定し、電力需給契約に応じて、オン制御順位を設定してもよい。また、マンション等の集合住宅であれば、売値又は家賃が高い住居部に入居する需要家ほど、オン制御順位が上位のグループに属するように、開閉器夫々のグループを設定してもよい。また、一のグループのオン制御順位を上位とする代わりに、その一のグループに属する需要家の支払う電気料金を高く設定してもよい。
【０２５３】
（７）上記実施の形態２において、制御部５２Ａは、オン制御順位記憶部５１Ａに記憶されている開閉器４０−１，…，４０−Ｎ夫々のオン制御順位に基づいて、開閉器４０−１，…，４０−Ｎ夫々に対してグループ単位で順にオン制御を行うと説明したが以下に記載するように変形させてもよい。
【０２５４】
オン制御順位記憶部５１Ａは、図２４に示すように、制御部５２Ａが開閉器４０−１，…，４０−Ｎ夫々のオン制御を行う順位を複数パターン記憶しているとする。図２４では、開閉器４０−１，…，４０−Ｎ夫々について、第１グループと第２グループとの複数のグループが定められ、第１グループと第２グループとの夫々について、開閉器４０−１，…，４０−Ｎ夫々のオン制御順位が記憶されている。
【０２５５】
このとき、制御部５２Ａは、先ず第１グループで定められた開閉器４０−１，…，４０−Ｎ夫々オン制御順位に基づいて、開閉器４０−１，…，４０−Ｎ夫々に対してグループ単位で順にオン制御を行う。そして、制御部５２Ａは、蓄電池システムから負荷群への電力供給路をモニタし、一の開閉器のオン制御後において、その一の開閉器のオン制御により発生した突入電流の値が予め定められた閾値以上であった場合に、第２グループで定められた開閉器４０−１，…，４０−Ｎ夫々オン制御順位に基づいて再度、開閉器４０−１，…，４０−Ｎ夫々のオン制御をやり直すとしてもよい。
【０２５６】
（８）上記実施の形態１に係る電力分配制御システム１おいて、開閉器４０−１，…，４０−Ｎ夫々に励磁開閉器が用いられてもよい。開閉器４０−１，…，４０−Ｎ夫々に励磁開閉器が用いられる場合、図２５に示すように、電力分配制御システム１に更に備えられた電力供給部１７０が、電力分配制御装置５０の指示を受け付けて、開閉器４０−１，…，４０−Ｎ夫々に順に電力を投入することで、開閉器４０−１，…，４０−Ｎ夫々のオン制御を行うとしてもよい。上記実施の形態１を例に挙げたが、上記実施の形態２から７に係る電力分配制御システムおいても同様に、開閉器夫々に励磁開閉器を用いられてもよい。
【０２５７】
（９）上記実施の形態１に係る電力分配制御システム１おいて、需要家１，…，Ｎ夫々が使用する負荷群１００−１，…，１００−Ｎ夫々の電力供給路に開閉器４０−１，…，４０−Ｎ夫々が設けられると説明したがこれに限定されない。電力分配制御システム１おいて、複数の需要家が使用する負荷群の電力供給路に一の開閉器を備え、その一の開閉器は、複数の需要家が使用する負荷群への電力供給路夫々を開閉する機能を備えるとしてもよい。また、電力分配制御システム１において、複数の需要家の使用する負荷群へ電力供給を行う電力供給路夫々に開閉器を備えるとしてもよい。
【０２５８】
但し、電力分配制御システム１において、上述したような、複数の需要家の負荷群への電力供給を制御する開閉器を備える場合、一の開閉器がオン制御された際に発生する突入電流により、電力供給路の電圧降下が起こらないように、蓄電池システム１０の電力供給能力に基づいて、需要家の数は定められることが望ましい。
【０２５９】
（１０）上記実施の形態６及び７に係る電力分配制御システムにおいて、電力分配制御装置の代わりに、需要家毎に戸別分配制御装置を備え、戸別分配制御装置によって、需要家毎に開閉器夫々のオン制御及びオフ制御（上記実施の形態７に係る電力分配制御システムでは、更に電源コントロールユニット１６０の制御）を行うとしてもよい。
【０２６０】
（１１）上記実施の形態４に係る電力分配制御システム１Ｃにおいて、スマートメータ６０や分電盤７０に、戸別電力分配制御装置１５０を内蔵してもよい。また分電盤７０に、戸別電力分配制御装置１５０及び開閉器１４０−１，…，１４０−Ｍ夫々を内蔵し、分電盤７０によって、蓄電池システムから負荷群４００−１，…，４００−Ｎ夫々への電力投入を制御してもよい。
【０２６１】
（１２）上記実施の形態４に係る電力分配制御システム１Ｃにおいて、電源切替ユニット１３０は停電検出器１２０からの停電及び復電の通知を受け付けて電源を切り替えると説明した。上記実施の形態１、２、５及び６に係る電力分配制御システムにおいても、停電検出器２０及び電源切替ユニット３０の夫々の代わりに、停電検出器１２０及び電源切替ユニット１３０を備え、電力分配制御装置は電源切替ユニットの制御を行わないとしてもよい。
【０２６２】
（１３）上記各実施の形態及び変形例において、電源切替ユニットに停電検出器の機能を内蔵してもよいし、蓄電池システムに停電検出器の機能を内蔵してもよい。
【０２６３】
（１４）蓄電池システムの充電量には限りがある。そこで、上記各実施の形態及び変形例において、蓄電池システムは特定負荷群へのみ電力供給を行い、一般負荷群へは電力供給を行わないとしてもよい。
【０２６４】
＜９．補足＞
以下、本開示の実施形態に係る電力分配制御システム、電力分配制御方法、表示装置、及び電源切替装置の構成及びその変形例と各効果について説明する。
【０２６５】
（Ａ）本開示に係る一実施形態の電力分配制御システムは、電源から複数の負荷群へ電力を供給する電力供給路に設けられ、電源を第１電源と前記第１電源より電力供給能力が低い第２電源との間で切り替える電源切替部と、前記第１電源の停電を検出する検出部と、前記複数の負荷群夫々について、前記電源切替部の下流側における、当該負荷群の内の一部又は全ての負荷の電力供給路に設けられた開閉部と、前記電源切替部の切り替え制御と、前記開閉部夫々のオン及びオフ制御を行う制御部と、前記制御部が前記開閉部夫々をオン制御する順位を記憶する順位記憶部と、を備え、前記制御部は、前記検出部が停電を検出した場合に、前記開閉部夫々をオフ制御し、前記開閉部全てのオフ制御後に、電源が前記第１電源から前記第２電源へ切り替わるように、前記電源切替部を切り替え制御し、前記第１電源から前記第２電源への切り替え制御後に、前記順位記憶部に記憶されている前記順位に従って、前記開閉部夫々をオン制御する。
【０２６６】
この構成により、（Ａ）の電力分配制御システムは、蓄電池システムから負荷群への電力供給開始時に、安定的に電力供給を行うことが可能となる。
【０２６７】
（Ｂ）前記実施の形態（Ａ）の電力分配制御システムにおいて、更に、前記第２電源の電力供給能力に基づいて前記開閉部夫々のグループ分けを行い、当該グループ毎に前記順位を決定し、決定した前記順位を前記順位記憶部に記憶させる順位決定部、を備えるとしてもよい。
【０２６８】
この構成により、（Ｂ）の電力分配制御システムは、第２電源の電力供給能力を加味して、第２電源からの電力を順に負荷群へ配電することができる。
【０２６９】
（Ｃ）前記実施の形態（Ｂ）の電力分配制御システムにおいて、前記順位決定部は、更に、前記グループ分けを、前記複数の負荷群夫々の電力需給に関する履歴情報に基づいて行う、としてもよい。
【０２７０】
この構成により、（Ｃ）の電力分配制御システムは、第２電源の電力供給能力を加味して前記順位を決定することができる。
【０２７１】
（Ｄ）前記実施の形態（Ｃ）の電力分配制御システムにおいて、前記順位決定部は、更に、前記順位の決定を、前記複数の負荷群夫々の電力需給に関する履歴情報に基づいて行う、としてもよい。
【０２７２】
この構成により、（Ｄ）の電力分配制御システムは、需要家夫々の電力使用量を加味して、第２電源からの電力を順に負荷群へ配電することができる。
【０２７３】
（Ｅ）前記実施の形態（Ｂ）の電力分配制御システムにおいて、前記複数の負荷群夫々は、一の需要家によって使用される負荷の集合であり、前記順位決定部は、更に、前記グループ分けを、需要家夫々の電力需給契約に基づいて行う、としてもよい。
【０２７４】
この構成により、（Ｅ）の電力分配制御システムは、需要家夫々の電力需給契約に応じて、第２電源からの電力を順に負荷群へ配電することができる。
【０２７５】
（Ｆ）前記実施の形態（Ｅ）の電力分配制御システムにおいて、前記順位決定部は、更に、前記順位の決定を、需要家夫々の電力需給契約に基づいて行う、としてもよい。
【０２７６】
この構成により、（Ｆ）の電力分配制御システムは、需要家夫々の電力需給契約に応じて前記順位を決定することができる。
【０２７７】
（Ｇ）前記実施の形態（Ａ）の電力分配制御システムにおいて、前記負荷群は、電力復旧が優先される一以上の特定負荷を含み、前記開閉部夫々は、前記特定負荷以外の負荷の電力供給路に設けられる、としてもよい。
【０２７８】
この構成により、（Ｇ）の電力分配制御システムは、特定負荷群と一般負荷群とを区別して、第２電源からの電力を順に負荷群へ配電することができる。
【０２７９】
（Ｈ）本開示に係る一実施形態の電力分配制御方法は、電源から複数の負荷群へ電力を供給する電力供給路に設けられ、電源を第１電源と前記第１電源より電力供給能力が低い第２電源との間で切り替える電源切替装置と、前記複数の負荷群夫々について、前記電源切替部の下流側における、当該負荷群の内の一部又は全ての負荷の電力供給路に設けられた開閉器とを制御する電力分配制御方法であって、前記第１電源の停電を検出する検出ステップと、前記電源切替装置の切り替え制御と、前記開閉器夫々のオン及びオフ制御を行う制御ステップと、を有し、前記制御ステップは、前記検出ステップで停電を検出した場合に、前記開閉器夫々をオフ制御し、前記開閉器全てのオフ制御後に、電源が前記第１電源から前記第２電源へ切り替わるように、前記電源切替装置を切り替え制御し、前記第１電源から前記第２電源への切り替え制御後に、順位記憶装置に記憶されている開閉器夫々のオン制御順位に従って、前記開閉器をオン制御する。
【０２８０】
この構成により、（Ｈ）の電力分配制御方法は、蓄電池システムから負荷群への電力供給開始時に、安定的に電力供給を行うことが可能となる。
【０２８１】
（Ｉ）本開示に係る一実施形態の表示装置は、請求項１の電力分配制御システムを利用する一の需要家が閲覧可能な表示装置であって、前記制御部による前記開閉部夫々のオン制御に関する情報を取得する開閉器情報取得部と、前記開閉器情報取得部で取得した情報を表示する表示部と、を備える。
【０２８２】
この構成により、（Ｉ）の表示装置は、電力分配制御に関する情報をユーザに提供することができる。
【０２８３】
（Ｊ）本開示に係る一実施形態の電力分配制御システムは、電源から負荷群へ電力を供給する電力供給路に設けられ、電源を第１電源と前記第１電源より電力供給能力が低い第２電源との間で切り替える電源切替部と、前記電源切替部の下流側における、前記負荷群の内の一部の負荷の電力供給路に設けられた開閉部と、を備え、前記電源切替部は、前記第１電源の停電を示す情報を取得した場合に、電源を前記第１電源から前記第２電源へ切り替えを行い、前記開閉部は、前記電力供給路に設けられた接点部と、前記接点部の上流側及び下流側夫々の電力供給路と接続される励磁コイル部とを備え、前記接点部は、ユーザのオン操作に基づいて閉状態となり、前記励磁コイル部は、前記接点部が閉状態で電流が流れることにより、励磁作用で前記接点部の閉状態を維持する。
【０２８４】
この構成により、（Ｊ）の電力分配制御システムは、負荷群への電力供給が停止すると開閉器は自動でオフ状態となる。そして、負荷群への電力供給が再開された際に、ユーザによるオン操作により開閉器がオン状態となる。そのため、（Ｊ）の電力分配制御システムは、開閉器を制御する構成を設けることなく、蓄電池システムから負荷群への電力供給開始時に、安定的に電力供給を行うことが可能となる。
【０２８５】
（Ｋ）前記実施の形態（Ｊ）の電力分配制御システムにおいて、更に、前記開閉部のオフ状態時に、前記オン操作により前記負荷群への電力供給が開始される状態であることを前記ユーザに通知する通知部を備える、としてもよい。
【０２８６】
この構成により、（Ｋ）の電力分配制御システムは、第２電源から当該負荷群への電力バックアップが開始さている状態であり、ユーザのオン操作によって第２電源から当該負荷群への供給電力が通電される状態であることをユーザに通知することができる。
【０２８７】
（Ｌ）本開示に係る一実施形態の電源切替装置は、電源から負荷群へ電力を供給する電力供給路に設けられ、電源を第１電源と第２電源との間で切り替える電源切替装置であって、前記第１電源から負荷群へ電力を供給する第１電源電力供給路に設けられた第１接点部と、前記第２電源から負荷群へ電力を供給する第２電源電力供給路に設けられた第２接点部と、前記第１接点部の上流側の前記第１電源電力供給路と両端が接続され閉回路を形成し、励磁作用により前記第１接点部を開閉する第１励磁コイル部と、前記第１電源電力供給路と前記第１励磁コイル部による当該閉回路に設けられた第３接点部と、前記第２接点部の上流側の前記第２電源電力供給路に両端が接続され閉回路を形成し、励磁作用により前記第２接点部を開閉する第２励磁コイル部と、前記第２電源電力供給路と前記第２励磁コイル部とによる当該閉回路に設けられた第４接点部と、を備え、前記第１励磁コイル部は、更に、励磁作用により前記第４接点部を開閉し、前記第２励磁コイル部は、更に、励磁作用により前記第３接点部を開閉し、前記第１接点部は、前記第１励磁コイル部の励磁で閉状態となり、非励磁で開状態となり、前記第２接点部は、前記第２励磁コイル部の励磁で閉状態となり、非励磁で開状態となり、前記第３接点部は、前記第２励磁コイル部の励磁で開状態となり、非励磁で閉状態となり、前記第４接点部は、前記第１励磁コイル部の励磁で開状態となり、非励磁で閉状態となる。
【０２８８】
この構成により、（Ｌ）の電源切替装置は、負荷群の電源を第１電源と第２電源との間で完全に切り替えることができる。
【０２８９】
（Ｍ）前記実施の形態（Ｌ）の電源切替装置において、更に、前記第１接点部の閉状態をユーザに通知する第１通知部と、前記第２接点部の閉状態をユーザに通知する第２通知部と、を備えるとしてもよい。
【０２９０】
この構成により、（Ｍ）の電源切替装置は、第１電源と第２電源の内何れの電源から負荷群へ電力供給が行われている状態であるかをユーザに通知することができる。
【産業上の利用可能性】
【０２９１】
蓄電池システムから負荷群へ電力供給を行う様々なシステムに適用可能である。蓄電池システムを電源として備えた集合住宅、コミュニティ、一般家庭、工場などへの利用が考えられる。
【符号の説明】
【０２９２】
１，１Ａ，１Ｂ，１Ｃ，１Ｄ，１Ｅ，１Ｆ，１Ｇ  電力分配制御システム
２  配電網
３  ネットワーク
４  表示装置
１０，１１  蓄電池システム
２０，１２０  停電検出器
３０，１３０  電源切替ユニット
４０，４０−１，４０−Ｎ，１４０−１，１４０−Ｍ  開閉器
５０，５０Ａ  電力分配制御装置
５１，５１Ａ  オン制御順位記憶部
５２，５２Ａ  制御部
６０，６０−１，６０−Ｎ  スマートメータ
７０，７０−１，７０−Ｎ  分電盤
７１，７２，７３  ブレーカー
８０  設定装置
８１  取得部
８２  メータ情報記憶部
８３  設定部
９１  特定負荷分電盤
９２  一般負荷分電盤
１００，１００−１，１００−Ｎ，１００−Ｘ  負荷群
１０１，１０２，１０３，１０４  負荷
１１０，１１０−１，１１０−Ｍ  開閉器
１５０  戸別電力分配制御装置
１５１  オン制御順位記憶部
１５２  制御部
１６０  電源コントロールユニット
１７０  電力供給部
２００，２００−１，２００―Ｎ  特定負荷群
３００，３００−１，３００−Ｎ  一般負荷群
４００−１，４００−Ｍ  負荷群
５００，５００−１，５００−Ｎ  開閉器
５１０  接点部
５２０  励磁コイル部
５３０，５４０  ランプ
６０１−１，６０１−Ｐ  特定負荷群
６０２−１，６０２−Ｑ，６０２−Ｒ  一般負荷群
６１０−１，６１０−Ｐ，６２０−１，６２０−Ｑ  開閉器
７００  電力分配制御装置
７１０  制御ルール記憶部
７２０  制御部
８００  逼迫検出器
８１０−１，８１０−Ｐ，８２０−１，８２０−Ｑ  開閉器
９００  戸別電源切替ユニット
９１０  第１電磁コンタクタ
９１１，９２１  主接点部
９１２，９２２  副接点部
９１３，９２３  励磁コイル部
９２０  第２電磁コンタクタ
【図１】
0005935024.tif 000002
【図２】
0005935024.tif 000003
【図３】
0005935024.tif 000004
【図４】
0005935024.tif 000005
【図５】
0005935024.tif 000006
【図６】
0005935024.tif 000007
【図７】
0005935024.tif 000008
【図８】
0005935024.tif 000009
【図９】
0005935024.tif 000010
【図１０】
0005935024.tif 000011
【図１１】
0005935024.tif 000012
【図１２】
0005935024.tif 000013
【図１３】
0005935024.tif 000014
【図１４】
0005935024.tif 000015
【図１５】
0005935024.tif 000016
【図１６】
0005935024.tif 000017
【図１７】
0005935024.tif 000018
【図１８】
0005935024.tif 000019
【図１９】
0005935024.tif 000020
【図２０】
0005935024.tif 000021
【図２１】
0005935024.tif 000022
【図２２】
0005935024.tif 000023
【図２３】
0005935024.tif 000024
【図２４】
0005935024.tif 000025
【図２５】
0005935024.tif 000026
【図２６】
0005935024.tif 000027